(57)【要約】【課題】施工が簡易な既存建築物の耐震補強構造を提供する。【解決手段】床上鋼板と、前記床上鋼板に対応する床下鋼板（９Ａ、９Ｂ）と、柱１を所定の隙間をあけた状態で囲むように配置される中間バンド（１１Ａ、１１Ｂ）と、梁２と柱１との接合部周辺に配置される梁用補強部材（１３）と、柱１を所定の隙間をあけた状態で囲むように配置される柱下バンド（１６Ａ、１６Ｂ）と、前記中間バンドと前記柱下バントとの間に、柱１を囲むように配置される柱用補強部材（１８、１９）とを備え、柱１、梁２、及び床３と、前記床上鋼板、前記床下鋼板、前記中間バンド、前記梁用補強部材、前記柱下バンド、及び前記柱用補強部材とが、前記床上鋼板の充填材注入口から注入される充填材によって接着されている既存建築物の耐震補強構造。【選択図】図８
2011043013.tif 000002
【特許請求の範囲】
【請求項１】
床の柱周辺の所定位置に充填材注入用貫通孔をあけ、前記床の上面の前記柱周辺の所定領域を斫り、前記充填材注入用貫通孔に対応する充填材注入口が設けられている床上鋼板を前記床の上面の斫った領域に配置する工程と、
前記床の下面から垂直下方向に所定の間隔離れた位置に前記床上鋼板に対応する床下鋼板を配置する工程と、
前記床を支持する梁の下面から垂直下方向に所定の間隔離れた位置で前記柱を所定の隙間をあけた状態で囲む中間バンドを配置する工程と、
梁用補強部材を前記梁と前記柱との接合部周辺に配置する工程と、
柱下バンドの下面が前記床よりも１階下の床の上面の斫った領域に配置される他の床上鋼板の上面に接した位置又は柱下バンドの下面が前記床よりも１階下の床の上面の斫った領域に配置される他の床上鋼板の上面から所定の間隔離れた位置で前記柱を所定の隙間をあけた状態で囲む前記柱下バンドを配置する工程と、
前記中間バンドと前記柱下バントとの間に、前記柱を囲む柱用補強部材を配置する工程と、
配置が完了した後に、充填材を前記充填材注入口から注入する工程を備えることを特徴とする既存建築物の耐震補強方法。
【請求項２】
前記梁用補強部材を前記梁と前記柱との接合部周辺に配置する工程において、前記梁用補強部材の下部を前記中間バンドの上面に合わせ、前記梁用補強部材の上部を前記床下鋼板と前記梁との隙間に差し込み、
さらに、前記梁用補強部材同士の前記柱に近い側の側面端部間を連結するための連結部材を配置する工程を備える請求項１に記載の既存建築物の耐震補強方法。
【請求項３】
前記柱用補強部材が、前記柱のコーナー部分に配置されるコーナー部材と、前記コーナー部材同士を連結するための連結板部材とを有する請求項１又は請求項２に記載の既存建築物の耐震補強方法。
【請求項４】
前記柱用補強部材が、２つの断面がコの字形状である板部材を有する請求項１又は請求項２に記載の既存建築物の耐震補強方法。
【請求項５】
柱周辺の所定位置に充填材注入用貫通孔があけられ、上面の前記柱周辺の所定領域が斫られた床の斫った領域に配置され、前記充填材注入用貫通孔に対応する充填材注入口が設けられている床上鋼板と、
前記床上鋼板に対応し、前記床の下面から垂直下方向に所定の間隔離れた位置に配置される床下鋼板と、
前記床を支持する梁の下面から垂直下方向に所定の間隔離れた位置で前記柱を所定の隙間をあけた状態で囲むように配置される中間バンドと、
前記梁と前記柱との接合部周辺に配置される梁用補強部材と、
下面が前記床よりも１階下の床の上面の斫った領域に配置される他の床上鋼板の上面に接した位置又は下面が前記床よりも１階下の床の上面の斫った領域に配置される他の床上鋼板の上面から所定の間隔離れた位置で前記柱を所定の隙間をあけた状態で囲むように配置される柱下バンドと、
前記中間バンドと前記柱下バントとの間に、前記柱を囲むように配置される柱用補強部材とを備え、
前記柱、前記梁、及び前記床と、前記床上鋼板、前記床下鋼板、前記中間バンド、前記梁用補強部材、前記柱下バンド、及び前記柱用補強部材とが、前記充填材注入口から注入される充填材によって接着されていることを特徴とする既存建築物の耐震補強構造。
【請求項６】
前記梁用補強部材の下部が前記中間バンドの上面に合わさり、上部が前記床下鋼板と前記梁との隙間に差し込まれ、
さらに、前記梁用補強部材同士の前記柱に近い側の側面端部間を連結するための連結部材を備える請求項５に記載の既存建築物の耐震補強構造。
【請求項７】
前記柱用補強部材が、前記柱のコーナー部分に配置されるコーナー部材と、前記コーナー部材同士を連結するための連結板部材とを有する請求項５又は請求項６に記載の既存建築物の耐震補強構造。
【請求項８】
前記柱用補強部材が、２つの断面がコの字形状である板部材を有する請求項５又は請求項６に記載の既存建築物の耐震補強構造。
【発明の詳細な説明】
【技術分野】
【０００１】
本発明は、既存建築物の耐震性を向上させる既存建築物の耐震補強方法及び耐震補強構造に関する。
【背景技術】
【０００２】
昭和５６年の改正建築基準法の施行以降に建築された建築物については概ね耐震性が確保されているが、昭和５６年の改正建築基準法の施行前に建築された建築物については耐震性が不十分なものが多い。実際、阪神・淡路大震災で大きな被害を受けた建築物の大半は昭和５６年の改正建築基準法の施行前に建築された建築物であり、昭和５６年の改正建築基準法の施行以降に建築された建築物には大きな被害が少なかったとの報告がある。
【０００３】
阪神・淡路大震災の教訓から、官公庁は、昭和５６年の改正建築基準法の施行前に建築された公共建築物に対して耐震診断とその診断結果に応じた耐震補強を実施して、地震による被害を未然に減らす対策を進めている。例えば、文部科学省は、公立学校施設の耐震化を推進している。
【０００４】
また、民間の既存建築物の耐震化を促進するため、各自治体は、民間の既存建築物の耐震診断や耐震補強に関する助成制度を設けている。
【０００５】
このような事情から、既存建築物の耐震性を向上させる既存建築物の耐震補強方法が各種提案されている。例えば、特許文献１で提案されている既存建築物の耐震補強方法は、既存建物の架構を構成する柱の外周に、補強材を、前記柱の上下端に位置する梁と離間させた状態で巻き付け、前記補強材と前記梁との間に高強度モルタルを打設し、前記柱および梁によって囲まれた開口部に、耐震要素を増設するとともに、前記耐震要素と前記補強材との間を接合するという方法である。
【先行技術文献】
【特許文献】
【０００６】
【特許文献１】特開２０００−１５４６５１号公報（第１図）
【発明の概要】
【発明が解決しようとする課題】
【０００７】
特許文献１で提案されている既存建築物の耐震補強方法は、柱および梁によって囲まれた開口部に耐震要素を増設するため、補強工事の施工範囲が広範囲に及んでしまい、工事が大がかりになるという問題を有していた。
【０００８】
本発明は、上記の問題点に鑑み、施工が簡易な既存建築物の耐震補強方法及び耐震補強構造を提供することを目的とする。
【課題を解決するための手段】
【０００９】
上記目的を達成するために本発明に係る既存建築物の耐震補強方法は、床の柱周辺の所定位置に充填材注入用貫通孔をあけ、前記床の上面の前記柱周辺の所定領域を斫り、前記充填材注入用貫通孔に対応する充填材注入口が設けられている床上鋼板を前記床の上面の斫った領域に配置する工程と、前記床の下面から垂直下方向に所定の間隔離れた位置に前記床上鋼板に対応する床下鋼板を配置する工程と、前記床を支持する梁の下面から垂直下方向に所定の間隔離れた位置で前記柱を所定の隙間をあけた状態で囲む中間バンドを配置する工程と、梁用補強部材を前記梁と前記柱との接合部周辺に配置する工程と、柱下バンドの下面が前記床よりも１階下の床の上面の斫った領域に配置される他の床上鋼板の上面に接した位置又は柱下バンドの下面が前記床よりも１階下の床の上面の斫った領域に配置される他の床上鋼板の上面から所定の間隔離れた位置で前記柱を所定の隙間をあけた状態で囲む前記柱下バンドを配置する工程と、前記中間バンドと前記柱下バントとの間に、前記柱を囲む柱用補強部材を配置する工程と、配置が完了した後に、充填材を前記充填材注入口から注入する工程を備えている。また、前記梁用補強部材を前記梁と前記柱との接合部周辺に配置する工程において、前記梁用補強部材の下部を前記中間バンドの上面に合わせ、前記梁用補強部材の上部を前記床下鋼板と前記梁との隙間に差し込み、さらに、前記梁用補強部材同士の前記柱に近い側の側面端部間を連結するための連結部材を配置する工程を備えるようにしてもよい。
【００１０】
上記耐震補強方法において、前記柱用補強部材が、前記柱のコーナー部分に配置されるコーナー部材と、前記コーナー部材同士を連結するための連結板部材とを有するようにしてもよい。或いは、上記耐震補強方法において、前記柱用補強部材が、２つの断面がコの字形状である板部材を有するようにしてもよい。
【００１１】
上記目的を達成するために本発明に係る既存建築物の耐震補強構造は、柱周辺の所定位置に充填材注入用貫通孔があけられ、上面の前記柱周辺の所定領域が斫られた床の斫った領域に配置され、前記充填材注入用貫通孔に対応する充填材注入口が設けられている床上鋼板と、前記床上鋼板に対応し、前記床の下面から垂直下方向に所定の間隔離れた位置に配置される床下鋼板と、前記床を支持する梁の下面から垂直下方向に所定の間隔離れた位置で前記柱を所定の隙間をあけた状態で囲むように配置される中間バンドと、前記梁と前記柱との接合部周辺に配置される梁用補強部材と、下面が前記床よりも１階下の床の上面の斫った領域に配置される他の床上鋼板の上面に接した位置又は下面が前記床よりも１階下の床の上面の斫った領域に配置される他の床上鋼板の上面から所定の間隔離れた位置で前記柱を所定の隙間をあけた状態で囲むように配置される柱下バンドと、前記中間バンドと前記柱下バントとの間に、前記柱を囲むように配置される柱用補強部材とを備え、前記柱、前記梁、及び前記床と、前記床上鋼板、前記床下鋼板、前記中間バンド、前記梁用補強部材、前記柱下バンド、及び前記柱用補強部材とが、前記充填材注入口から注入される充填材によって接着されている構成とする。また、前記梁用補強部材の下部が前記中間バンドの上面に合わさり、上部が前記床下鋼板と前記梁との隙間に差し込まれ、さらに、前記梁用補強部材同士の前記柱に近い側の側面端部間を連結するための連結部材を備えるようにしてもよい。
【００１２】
上記耐震補強構造において、前記柱用補強部材が、前記柱のコーナー部分に配置されるコーナー部材と、前記コーナー部材同士を連結するための連結板部材とを有するようにしてもよい。或いは、上記耐震補強構造において、前記柱用補強部材が、２つの断面がコの字形状である板部材を有するようにしてもよい。
【発明の効果】
【００１３】
本発明に係る既存建築物の耐震補強方法及び耐震補強構造によると、補強工事の施工範囲が広範囲に及ばないので、施工が簡易である。
【図面の簡単な説明】
【００１４】
【図１】本発明の第１実施形態に係る耐震補強方法の補強対象である既存建築物の架構の部分斜視図である。
【図２】本発明の第１実施形態に係る耐震補強方法の第１の工程を示す上面図である。
【図３Ａ】本発明の第１実施形態に係る耐震補強方法の第２の工程を示す上面図である。
【図３Ｂ】本発明の第１実施形態に係る耐震補強方法の第２の工程を示す下面図である。
【図４Ａ】本発明の第１実施形態に係る耐震補強方法の第３の工程を示す正面図である。
【図４Ｂ】本発明の第１実施形態に係る耐震補強方法の第３の工程を示す下面図である。
【図５】本発明の第１実施形態に係る耐震補強方法の第４の工程を示す斜視図である。
【図６Ａ】本発明の第１実施形態に係る耐震補強方法の第５の工程を示す正面図である。
【図６Ｂ】本発明の第１実施形態に係る耐震補強方法の第５の工程を示す上面図である。
【図６Ｃ】本発明の第１実施形態に係る耐震補強方法の第５の工程を示す下面図である。
【図７】本発明の第１実施形態に係る耐震補強方法の第６の工程を示す正面図である。
【図８】本発明の第１実施形態に係る耐震補強方法の第７の工程を示す正面図である。
【図９】本発明の第１実施形態に係る耐震補強方法の第７の工程を示す下面図である。
【図１０Ａ】本発明の第２実施形態に係る耐震補強方法の補強対象である既存建築物の架構の部分斜視図である。
【図１０Ｂ】本発明の第２実施形態に係る耐震補強方法の補強対象である既存建築物の架構の部分下面図である。
【図１１】本発明の第２実施形態に係る耐震補強方法の第１の工程を示す上面図である。
【図１２Ａ】本発明の第２実施形態に係る耐震補強方法の第２の工程を示す上面図である。
【図１２Ｂ】本発明の第２実施形態に係る耐震補強方法の第２の工程を示す下面図である。
【図１３Ａ】本発明の第２実施形態に係る耐震補強方法の第３の工程を示す正面図である。
【図１３Ｂ】本発明の第２実施形態に係る耐震補強方法の第３の工程を示す下面図である。
【図１４】本発明の第２実施形態に係る耐震補強方法の第４の工程を示す斜視図である。
【図１５Ａ】本発明の第２実施形態に係る耐震補強方法の第５の工程を示す正面図である。
【図１５Ｂ】本発明の第２実施形態に係る耐震補強方法の第５の工程を示す上面図である。
【図１５Ｃ】本発明の第２実施形態に係る耐震補強方法の第５の工程を示す下面図である。
【図１６】本発明の第２実施形態に係る耐震補強方法の第６の工程を示す正面図である。
【図１７】本発明の第２実施形態に係る耐震補強方法の第６の工程を示す下面図である。
【発明を実施するための形態】
【００１５】
本発明の実施形態について図面を参照して以下に説明する。なお、各図面において同一の部分には同一の符号を付す。
【００１６】
＜第１実施形態＞
本発明の第１実施形態について説明する。図１は、本発明の第１実施形態に係る耐震補強方法の補強対象である既存建築物の架構の部分斜視図である。柱１と梁２との接合部において梁２が十字形に組まれており、梁２が床３を支持している。
【００１７】
まず、前処理として、柱１及び梁２の充填材接触面に対して目荒らしを行う。ただし、当該目荒らしを行わなくても柱１及び梁２の充填材接触面と後述する第８の工程において注入される充填材との接着強度が得られる場合には、当該目荒らしを行わなくてもよい。
【００１８】
次に、第１の工程において、図２の上面図に示すように、垂直方向に沿った複数の貫通孔４及び複数の充填材注入用貫通孔５を床３にあけ、後述する梁用補強部材１３の貫通孔に対応する孔を梁２にあける。その後、床３の床上鋼板が配置される箇所６を例えば３０ｍｍ斫って、床上鋼板を配置した際に床３の上面と床上鋼板の上面とが略同一平面になるようにしておく。
【００１９】
次に、第２の工程において、図３Ａの上面図及び図３Ｂの下面図に示すように、床上鋼板及び床下鋼板を配置する。
【００２０】
床上鋼板は４つの分割板７Ａ〜７Ｄによって構成され、各分割板７Ａ〜７Ｄには床３の貫通孔４に対応する貫通孔と床３の複数の充填材注入用貫通孔５に対応する充填材注入口８とが設けられている。また、床下鋼板は４つの分割板９Ａ〜９Ｄによって構成され、各分割板９Ａ〜９Ｄには床３の貫通孔４に対応する貫通孔が設けられている。
【００２１】
分割板７Ａ〜７Ｄからなる床上鋼板は床３の床上鋼板が配置される箇所６に接しており、分割板９Ａ〜９Ｄからなる床下鋼板は床３の下面から垂直下方向に所定の間隔離れた状態で、鋼製のボルト１０Ａ及びナット１０Ｂによって支持される。なお、図３Ｂ各分割板９Ａ〜９Ｄの斜辺ＯＬにおいて、垂直上方向に上記所定の間隔分だけの折り返しを設けている（図５参照）。
【００２２】
次に、第３の工程において、図４Ａの正面図及び図４Ｂの下面図に示すように、中間バンドを配置する。
【００２３】
中間バンドはコの字形状の鋼製分割部品１１Ａ及び１１Ｂによって構成されている。柱１と中間バンドとの隙間が例えば２０〜３０ｍｍになるように、分割部品１１Ａ及び１１Ｂをかみ合わせ部１２において互いにかみ合わせて図４Ｂに示すようにロの字形状になるように組む。このように柱１と中間バンドとに隙間を設けることにより、柱１が歪んでいる場合でも対応することができる。かみ合わせ部１２において中間バンドの厚み方向に対して斜めにネジ穴を形成し、分割部品１１Ａ及び１１Ｂのかみ合わせ時に、かみ合わせ部１２の形状によるかみ合わせだけでなく、ボルトによるネジ止めも行うようにすることが望ましい。その後、中間バンドは、架設足場を用いて、梁２の下面から垂直下方向に所定の間隔離れた状態で仮置きされる。
【００２４】
次に、第４の工程において、図５の斜視図に示すように４つの鋼製梁用補強部材１３、４つの断面がＬ字形状の鋼製上部コーナーアングル１４、及び８つの鋼製継ぎ目部材１５を配置する。なお、各梁用補強部材１３には１８個の貫通孔が設けられている。梁用補強部材１３の下部を中間バンドの上面に合わせ、梁用補強部材１３の上部を床下鋼板と梁２との隙間に差し込む。それから、上部コーナーアングル１４及び継ぎ目部材１５を配置する。梁用補強部材１３の柱１側とは反対の側面端部は小口止めとコーキングが施される。そして、梁用補強部材１３が定位置に収まれば、中間バンドが鋼製のアンカー（不図示）によって柱１に固定される。
【００２５】
次に、第５の工程において、図６Ａの正面図、図６Ｂの上面図、及び図６Ｃの下面図に示すように、柱下バンドを配置する。
【００２６】
柱下バンドはコの字形状の鋼製分割部品１６Ａ及び１６Ｂによって構成されている。柱１と柱下バンドとの隙間が例えば２０〜３０ｍｍになるように、分割部品１６Ａ及び１６Ｂをかみ合わせ部１７において互いにかみ合わせて図６Ｂ及び図６Ｃに示すようにロの字形状になるように組む。このように柱１と柱下バンドとに隙間を設けることにより、柱１が歪んでいる場合でも対応することができる。かみ合わせ部１７において柱下バンドの厚み方向に対して斜めにネジ穴を形成し、分割部品１６Ａ及び１６Ｂのかみ合わせ時に、かみ合わせ部１７の形状によるかみ合わせだけでなく、ボルトによるネジ止めも行うようにすることが望ましい。その後、柱下バンドは柱下バンドの下面が床上鋼板（上階のみ図示、下階は不図示）の上面に接した状態でアンカーによって柱１に対して固定される。なお、柱下バンドの下面の外周と下階の床上鋼板との溶接接合が可能な範囲において、柱下バンドの下面が床上鋼板（上階のみ図示、下階は不図示）の上面から離れていてもよい。
【００２７】
次に、第６の工程において、図７の正面図に示すように、４つの断面がＬ字形状の鋼製下部コーナーアングル１８を配置する。下部コーナーアングル１８の長手方向の寸法は、中間バンドの下面と柱下バンドの上面との距離より若干長くなっており、柱１と中間バンド及び柱下バンドとの隙間を利用して、下部コーナーアングル１８を上下させて、下部コーナーアングル１８の上端部を柱１と中間バンドとの隙間に収め、下部コーナーアングル１８の下端部を柱１と柱下バンドとの隙間に収める。ここで、必要な耐震強度に応じて、下部コーナーアングル１８と柱１との隙間に鉄筋を配置してもよい。
【００２８】
次に、第７の工程において、図８の正面図に示すように、４つの鋼板１９をそれぞれ柱１の各面に配置する。ここで、必要な耐震強度に応じて、鋼板１９と柱１との隙間に鉄筋を配置してもよい。そして、上述した柱下バンドの下面の外周と下階の床上鋼板とを溶接接合し、その後、図９の下面図に示すように、梁用補強部材１３を鋼製のボルト２０Ａ及びナット２０Ｂによって梁２に固定する。また、次の第８の工程時に既設の柱１、梁２、及び床３と上述した各補強部品との隙間以外の場所に充填材が漏れ出すことを防止するために、必要に応じて充填材の漏れ出しが生じそうな箇所にコーキングを施すとよい。
【００２９】
最後の第８の工程において、充填材注入口８から充填材（例えばコンクリート）を流し込み、既設の柱１、梁２、及び床３と上述した各補強部品との隙間を充填材によって完全に埋めて既設の柱１、梁２、及び床３と上述した各補強部品とを接着する。
【００３０】
以上の耐震補強方法により得られる耐震補強構造は、補強工事の施工範囲が広範囲に及ばないので、施工が簡易である。
【００３１】
＜第２実施形態＞
本発明の第２実施形態について説明する。図１０Ａは、本発明の第２実施形態に係る耐震補強方法の補強対象である既存建築物の架構の部分斜視図であり、図１０Ｂは、本発明の第２実施形態に係る耐震補強方法の補強対象である既存建築物の架構の部分下面図である。柱１と梁２との接合部において梁２が十字形に組まれており、梁２が床３を支持している。本実施形態では、１本の梁が他の梁に比べて水平方向の幅が狭くなっている。
【００３２】
まず、前処理として、柱１及び梁２の充填材接触面に対して目荒らしを行う。ただし、当該目荒らしを行わなくても柱１及び梁２の充填材接触面と後述する第７の工程において注入される充填材との接着強度が得られる場合には、当該目荒らしを行わなくてもよい。
【００３３】
次に、第１の工程において、図１１の上面図に示すように、垂直方向に沿った複数の貫通孔４及び複数の充填材注入用貫通孔５を床３にあけ、後述する梁用補強部材１３の貫通孔に対応する孔を梁２にあける。その後、床３の床上鋼板が配置される箇所６を例えば３０ｍｍ斫って、床上鋼板を配置した際に床３の上面と床上鋼板の上面とが略同一平面になるようにしておく。
【００３４】
次に、第２の工程において、図１２Ａの上面図及び図１２Ｂの下面図に示すように、床上鋼板及び床下鋼板を配置する。
【００３５】
床上鋼板は４つの分割板７Ａ〜７Ｄによって構成され、各分割板７Ａ〜７Ｄには床３の貫通孔４に対応する貫通孔と床３の複数の充填材注入用貫通孔５に対応する充填材注入口８とが設けられている。また、床下鋼板は４つの分割板９Ａ〜９Ｄによって構成され、各分割板９Ａ〜９Ｄには床３の貫通孔４に対応する貫通孔が設けられている。なお、１本の梁が他の梁に比べて水平方向の幅が狭くなっていることに対応するため、分割板９Ｂは分割板９Ａ、９Ｃ、及び９Ｄと異なる形状である。
【００３６】
分割板７Ａ〜７Ｄからなる床上鋼板は床３の床上鋼板が配置される箇所６に接しており、分割板９Ａ〜９Ｄからなる床下鋼板は床３の下面から垂直下方向に所定の間隔離れた状態で、鋼製のボルト１０Ａ及びナット１０Ｂによって支持される。なお、図１２Ｂ各分割板９Ａ〜９Ｄの斜辺ＯＬにおいて、垂直上方向に上記所定の間隔分だけの折り返しを設けている（図１４参照）。
【００３７】
次に、第３の工程において、図１３Ａの正面図及び図１３Ｂの下面図に示すように、中間バンドを配置する。
【００３８】
中間バンドはコの字形状の鋼製分割部品１１Ａ及び１１Ｂによって構成されている。柱１と中間バンドとの隙間が例えば２０〜３０ｍｍになるように、分割部品１１Ａ及び１１Ｂをかみ合わせ部１２において互いにかみ合わせて図１３Ｂに示すようにロの字形状になるように組む。このように柱１と中間バンドとに隙間を設けることにより、柱１が歪んでいる場合でも対応することができる。かみ合わせ部１２において中間バンドの厚み方向に対して斜めにネジ穴を形成し、分割部品１１Ａ及び１１Ｂのかみ合わせ時に、かみ合わせ部１２の形状によるかみ合わせだけでなく、ボルトによるネジ止めも行うようにすることが望ましい。その後、中間バンドは、架設足場を用いて、梁２の下面から垂直下方向に所定の間隔離れた状態で仮置きされる。
【００３９】
次に、第４の工程において、図１４の斜視図に示すように４つの鋼製梁用補強部材１３、４つの断面がＬ字形状の鋼製上部コーナーアングル１４、及び８つの鋼製継ぎ目部材１５を配置する。なお、各梁用補強部材１３には１８個の貫通孔が設けられている。また、１本の梁が他の梁に比べて水平方向の幅が狭くなっていることに対応するため、４つの梁用補強部材１３のうちの１つが他とは異なる形状であり、４つの上部コーナーアングル１４のうちの１つが他とは異なる形状である。梁用補強部材１３の下部を中間バンドの上面に合わせ、梁用補強部材１３の上部を床下鋼板と梁２との隙間に差し込む。それから、上部コーナーアングル１４及び継ぎ目部材１５を配置する。梁用補強部材１３の柱１側とは反対の側面端部は小口止めとコーキングが施される。そして、梁用補強部材１３が定位置に収まれば、中間バンドが鋼製のアンカー（不図示）によって柱１に固定される。
【００４０】
次に、第５の工程において、図１５Ａの正面図、図１５Ｂの上面図、及び図１５Ｃの下面図に示すように、柱下バンドを配置する。
【００４１】
柱下バンドはコの字形状の鋼製分割部品１６Ａ及び１６Ｂによって構成されている。柱１と柱下バンドとの隙間が例えば２０〜３０ｍｍになるように、分割部品１６Ａ及び１６Ｂをかみ合わせ部１７において互いにかみ合わせて図１５Ｂ及び図１５Ｃに示すようにロの字形状になるように組む。このように柱１と柱下バンドとに隙間を設けることにより、柱１が歪んでいる場合でも対応することができる。かみ合わせ部１７において柱下バンドの厚み方向に対して斜めにネジ穴を形成し、分割部品１６Ａ及び１６Ｂのかみ合わせ時に、かみ合わせ部１７の形状によるかみ合わせだけでなく、ボルトによるネジ止めも行うようにすることが望ましい。その後、柱下バンドは柱下バンドの下面が床上鋼板（上階のみ図示、下階は不図示）の上面に接した状態でアンカーによって柱１に対して固定される。なお、柱下バンドの下面の外周と下階の床上鋼板との溶接接合が可能な範囲において、柱下バンドの下面が床上鋼板（上階のみ図示、下階は不図示）の上面から離れていてもよい。
【００４２】
次に、第６の工程において、図１６の正面図に示すように、２つの断面がコ字形状の鋼板１９Ａ及び１９Ｂを配置する。鋼板１９Ａ及び１９Ｂの長手方向の寸法は、中間バンドの下面と柱下バンドの上面との距離より若干長くなっており、柱１と中間バンド及び柱下バンドとの隙間を利用して、鋼板１９Ａ及び１９Ｂを上下させて、鋼板１９Ａ及び１９Ｂの上端部を柱１と中間バンドとの隙間に収め、鋼板１９Ａ及び１９Ｂの下端部を柱１と柱下バンドとの隙間に収める。ここで、必要な耐震強度に応じて、鋼板１９Ａ及び１９Ｂと柱１との隙間に鉄筋を配置してもよい。そして、鋼板１９Ａと鋼板１９との接触部分を溶接接合する。さらに、上述した柱下バンドの下面の外周と下階の床上鋼板とを溶接接合し、その後、図１７の下面図に示すように、梁用補強部材１３を鋼製のボルト２０Ａ及びナット２０Ｂによって梁２に固定する。また、次の第７の工程時に既設の柱１、梁２、及び床３と上述した各補強部品との隙間以外の場所に充填材が漏れ出すことを防止するために、必要に応じて充填材の漏れ出しが生じそうな箇所にコーキングを施すとよい。
【００４３】
最後の第７の工程において、充填材注入口８から充填材（例えばコンクリート）を流し込み、既設の柱１、梁２、及び床３と上述した各補強部品との隙間を充填材によって完全に埋めて既設の柱１、梁２、及び床３と上述した各補強部品とを接着する。
【００４４】
以上の耐震補強方法により得られる耐震補強構造は、補強工事の施工範囲が広範囲に及ばないので、施工が簡易である。
【００４５】
＜その他＞
上述した実施形態では、柱と梁との接合部において梁が十字形に組まれているが、梁がＴ字形やＬ字形に組まれていても、梁用補強部材などの個数を調整することにより対応可能である。
【００４６】
また、上述した実施形態では、柱の断面形状が矩形であるが、柱の断面形状が矩形でない場合には、上部コーナーアングル及び下部コーナーアングルを蝶番に代えることにより対応可能である。
【００４７】
また、梁用補強部材の形状が、梁用補強部材の柱１に近い側の側面端部間に隙間がない形状であれば、梁用補強部材の柱１に近い側の側面端部間を連結するための連結部材を設けなくてもよい。
【００４８】
また、中間バンドと柱下バンドとの間に、柱１を所定の隙間をあけた状態で囲む別のバンドを設けてもよい。
【００４９】
また、梁用補強部材１３の形状を、梁用補強部材１３同士の柱１に近い側の側面端部間に隙間ができないような形状にした場合、連結部材である上部コーナーアングル１４及び継ぎ目部材１５を省略することができる。
【符号の説明】
【００５０】
１  柱
２  梁
３  床
４  貫通孔
５  充填材注入用貫通孔
６  床上鋼板が配置される箇所
７Ａ〜７Ｄ  床上鋼板を構成する分割板
８  充填材注入口
９Ａ〜９Ｄ  床下鋼板を構成する分割板
１０Ａ  ボルト
１０Ｂ  ナット
１１Ａ、１１Ｂ  中間バンドを構成する分割部品
１２  中間バンドのかみ合わせ部
１３  梁用補強部材
１４  上部コーナーアングル（連結部材の例）
１５  継ぎ目部材（連結部材の例）
１６Ａ、１６Ｂ  柱下バンドを構成する分割部品
１７  柱下バンドのかみ合わせ部
１８  下部コーナーアングル（柱用補強部材の例）
１９、１９Ａ、１９Ｂ  鋼板（柱用補強部材の例）
２０Ａ  ボルト
２０Ｂ  ナット
【図１】
2011043013.tif 000003
【図２】
2011043013.tif 000004
【図３Ａ】
2011043013.tif 000005
【図３Ｂ】
2011043013.tif 000006
【図４Ａ】
2011043013.tif 000007
【図４Ｂ】
2011043013.tif 000008
【図５】
2011043013.tif 000009
【図６Ａ】
2011043013.tif 000010
【図６Ｂ】
2011043013.tif 000011
【図６Ｃ】
2011043013.tif 000012
【図７】
2011043013.tif 000013
【図８】
2011043013.tif 000014
【図９】
2011043013.tif 000015
【図１０Ａ】
2011043013.tif 000016
【図１０Ｂ】
2011043013.tif 000017
【図１１】
2011043013.tif 000018
【図１２Ａ】
2011043013.tif 000019
【図１２Ｂ】
2011043013.tif 000020
【図１３Ａ】
2011043013.tif 000021
【図１３Ｂ】
2011043013.tif 000022
【図１４】
2011043013.tif 000023
【図１５Ａ】
2011043013.tif 000024
【図１５Ｂ】
2011043013.tif 000025
【図１５Ｃ】
2011043013.tif 000026
【図１６】
2011043013.tif 000027
【図１７】
2011043013.tif 000028